(57)【要約】【課題】基板をフレームに固定する構成に工夫を加えることにより、基板固定構造において、基板の部品面側及びその背面側の厚さを薄くする。【解決手段】基板３０の周縁に弾性変形可能な係止部材３１を設けると共に、表面に回路部品を取り付ける。また、マグネシウムフレーム２０に、回路部品に対応する窓部を備えた底壁２２を設け、底壁２２周縁から周壁２４を表面側へ立ち上げるように設ける。この底壁２２の周縁に係止部材３１が係止される被係止部２３を形成する。そして、係止部材３１を変形させながら被係止部２３に嵌め込むことにより、基板３０をマグネシウムフレーム２０の裏面側に固定すると共に、マグネシウムフレーム２０の表面側に、表示ディスプレイ７を嵌め込む。【選択図】図７
2009105310.tif 000002
【特許請求の範囲】
【請求項１】
フレームに基板を固定する基板固定構造において、
上記基板は、周縁に弾性変形可能な係止部材を有すると共に、表面に回路部品が取り付けられ、
上記フレームは、上記回路部品に対応する窓部を備えた底壁と、該底壁周縁に形成され、上記係止部材が係止される被係止部と、該底壁周縁から表面側へ立ち上がる周壁とを備え、
上記係止部材を変形させながら上記被係止部に嵌め込むことにより、上記基板がフレームの裏面側に固定されると共に、該フレームの表面側に、表示ディスプレイが嵌め込まれる
ことを特徴とする基板固定構造。
【請求項２】
請求項１に記載の基板固定構造であって、
上記係止部材は、金属製板バネで構成されている
ことを特徴とする基板固定構造。
【請求項３】
請求項１又は２に記載の基板固定構造であって、
上記係止部材は、基板に半田付けされ、斜面部と鉤部とを備えている
ことを特徴とする基板固定構造。
【請求項４】
請求項３に記載の基板固定構造であって、
上記被係止部は、
上記底壁と周壁との隅角部に設けた係止部材挿通用貫通孔と、
該係止部材挿通用貫通孔内に該周壁に連続して形成され、該底壁表面よりも低い表面を有する係止部材引掛部とを備えている
ことを特徴とする基板固定構造。
【請求項５】
請求項４に記載の基板固定構造であって、
上記係止部材が上記被係止部に係合されたとき、上記底壁の厚さよりも該係止部材の高さが低くなるように構成されている
ことを特徴とする基板固定構造。
【請求項６】
請求項５に記載の基板固定構造であって、
上記底壁の厚さは、１ｍｍ以下である
ことを特徴とする基板固定構造。
【請求項７】
請求項１乃至６のいずれか１つに記載の基板固定構造であって、
上記フレームは、マグネシウムフレームである
ことを特徴とする基板固定構造。
【請求項８】
請求項１乃至７のいずれか１つに記載の基板固定構造であって、
上記表示ディスプレイを上記フレームに嵌め込んだ状態で該フレーム周壁の上端と該表示ディスプレイの表面とが同じ高さとなっている
ことを特徴とする基板固定構造。
【請求項９】
請求項１乃至８のいずれか１つに記載の基板固定構造を備えた
ことを特徴とする携帯端末。
【請求項１０】
請求項９に記載の携帯端末であって、
上記携帯端末は、携帯電話機である
ことを特徴とする携帯端末。
【発明の詳細な説明】
【技術分野】
【０００１】
携帯端末、特に携帯電話機のフレームと基板の基板固定構造及びそれを備えた携帯端末に関する。
【背景技術】
【０００２】
従来より、携帯端末、特に携帯電話機は、携帯性を確保するために軽く、小さく、薄いことが要求されている。一方、豊富な機能を有することも要求されている。このため、できるだけ各部材の厚さを薄くするように余儀なくされるのが現状である。
【０００３】
携帯端末が装備する基板の固定構造としては、例えば、特許文献１のもののように、アースラグだけをビスによりシャーシの支持片に接続し、プリント基板はシャーシの支持片に設けられた段部により固定するものが知られている。このことで、プリント基板とシャーシとを電気的、機械的に完全に結合できて安全性を高め、かつ電気雑音の抑制効果を実現している。
【０００４】
また、特許文献２では、ネジ部材の頭部と平座金との間に介装され基板にくい込む形状の歯部を有する歯部付座金と、歯部付座金と平座金との間に介装され歯部付座金と平座金とを離間させる方向に付勢力を及ぼす弾性部材とを備えた基板固定用締結機構が知られている。この基板固定用締結機構は、基板の被締結物に対する位置調整が容易になされ、基板を強固に固定でき、位置調整後の僅かなショック等により基板が移動することも防止している。
【特許文献１】実開平３−９６０８５号公報
【特許文献２】実開平４−８５７７５号公報
【発明の開示】
【発明が解決しようとする課題】
【０００５】
しかしながら、従来の携帯端末が搭載する各種基板の結合は、基板をフレームにビスで固定する構造であるため、ビスの頭分だけ厚さが増すことは避けられない。
【０００６】
本発明は、かかる点に鑑みてなされたものであり、その目的とするところは、基板をフレームに固定する構成に工夫を加えることにより、基板固定構造において、基板の部品面側及びその背面側の厚さを薄くすることにある。
【課題を解決するための手段】
【０００７】
上記の目的を達成するために、この発明では、基板をフレームに固定する係止部を基板側に設けた。
【０００８】
具体的には、第１の発明では、フレームに基板を固定する基板固定構造を対象とする。      
【０００９】
そして、上記基板は、周縁に弾性変形可能な係止部材を有すると共に、表面に回路部品が取り付けられ、
上記フレームは、上記回路部品に対応する窓部を備えた底壁と、該底壁周縁に形成され、上記係止部材が係止される被係止部と、該底壁周縁から表面側へ立ち上がる周壁とを備え、
上記係止部材を変形させながら上記被係止部に嵌め込むことにより、該基板がフレームの裏面側に固定されると共に、該フレームの表面側に、表示ディスプレイが嵌め込まれる構成とする。
【００１０】
上記の構成によると、基板に設けた係止部材を変形させながらフレームの底壁周縁に設けた被係止部に係止させることにより、ビスを用いることなく、基板がフレームの裏面側に固定されると共に、ビスが底壁から飛び出さないので、フレームの表面側にディスプレイの嵌め込みが可能となり、また、基板の回路部品の背面側をキャビネットでカバーする際、少なくともビスの頭分だけ薄くなる。
【００１１】
第２の発明では、第１の発明において、
上記係止部材は、金属製板バネで構成されている。
【００１２】
上記の構成によると、係止部材をりん青銅又はステンレス等の金属製の板バネで構成することで、薄くて軽量で適度に弾性変形可能な耐久性の高い係止部材が得られる。
【００１３】
第３の発明では、第１又は第２の発明において、
上記係止部材は、基板に半田付けされ、斜面部と鉤部とを備えている。
【００１４】
上記の構成によると、係止部材を半田付けすることにより、係止部材を基板に固定するためのビスが不要となる。また、斜面部は、基板の取付作業がスムーズに行われるのを助け、鉤部で基板の固定を確実にしている。
【００１５】
第４の発明では、第３の発明において、
上記被係止部は、
上記底壁と周壁との隅角部に設けた係止部材挿通用貫通孔と、
該係止部材挿通用貫通孔内に該周壁に連続して形成され、該底壁表面よりも低い表面を有する係止部材引掛部とを備えている。
【００１６】
上記の構成によると、基板に設けた係止部材をフレームの裏面側から係止部材挿通用貫通孔に通し、斜面部を係止部材引掛部に当接させ変形させて通過した後に、鉤部を係止部材引掛部に引っ掛けることで、係止部材の弾性を利用して基板がフレームに確実に固定される。
【００１７】
第５の発明では、第４の発明において、
上記係止部材が上記被係止部に係合されたとき、上記底壁の厚さよりも該係止部材の高さが低くなるように構成されている。
【００１８】
上記の構成によると、係止部材が係止部材引掛部に係止されたときに、係止部材が底壁表面よりも飛び出さないので、底壁の表面側に表示ディスプレイを直接配置しても浮き上がらないので、基板固定構造全体の厚さが薄くなる。
【００１９】
第６の発明では、第５の発明において、
上記底壁の厚さは、１ｍｍ以下である。
【００２０】
上記の構成によると、１ｍｍ以下の薄い底壁の厚さ内に基板の回路部品が収まり、全体の厚さが極めて薄くなる。
【００２１】
第７の発明では、第１乃至第６のいずれか１つの発明において、
上記フレームは、マグネシウムフレームとする。
【００２２】
上記の構成によると、マグネシウムは、軽量でかつ剛性が高いので、薄くて軽いフレームが得られる。
【００２３】
第８の発明では、第１乃至第７のいずれか１つの発明において、
上記表示ディスプレイを上記フレームに嵌め込んだ状態で該フレーム周壁の上端と該表示ディスプレイの表面とが同じ高さとなっている。
【００２４】
上記の構成によると、表示ディスプレイがフレームから外れにくくなると共に、見映えがよくなる。
【００２５】
第９の発明では、第１乃至第８のいずれか１つの発明において、
携帯端末は、上記基板固定構造を備えている。
【００２６】
上記の構成によると、薄い基板固定構造を備えることで、携帯端末の全体の厚さが薄くなり、携帯性が向上する。
【００２７】
第１０の発明では、第９の発明において、
携帯端末は、携帯電話機とする。
【００２８】
上記の構成によると、頻繁に携帯されて使用される携帯電話機の厚さが極めて薄くなるので、その商品性が格段に向上する。
【発明の効果】
【００２９】
以上説明したように、本発明によると、ビスを用いることなく、基板に設けた係止部材を変形させながらフレームの被係止部に嵌め込んで基板をフレームの裏面側に固定すると共に、フレームの表面側に表示ディスプレイを嵌め込むようにしたことにより、基板固定構造における基板の回路部品側及びその背面側の厚さを薄くすることができるので、この基板固定構造を備えた携帯端末の厚さを極めて薄くすることができる。
【発明を実施するための最良の形態】
【００３０】
以下、本発明の実施形態を図面に基づいて説明する。
【００３１】
図１は、本発明の実施形態にかかる携帯電話機の開いた状態を示す斜視図である。図２は、携帯電話機の閉じた状態を示す斜視図である。
【００３２】
図１及び図２に示すように、本実施形態の携帯端末としての携帯電話機１は、表示部筐体２と第１の筐体３と第２の筐体５とを有している。表示部筐体２は、第１の筐体３の内部に設けられた支持機構（詳細省略）によって左右回転可能に結合されている。また、第１の筐体３と第２の筐体５とは、ヒンジ部６によって折り畳み可能に結合されている。表示部筐体２の表面側（携帯電話機１を折り畳んだときの内面側）には、表示ディスプレイ７と受話部８とが設けられ、表示部筐体２の裏面側には、携帯電話機１を折り畳んだときに露出するように、サブ表示部１０が設けられている。第２の筐体５の表面側には、機能ボタン１１、入力ボタン１２及び送話部（図示せず）が設けられている。
【００３３】
図１に示す縦長状態では、メールの送受信、通話、カメラ撮影や画面の小さい状態でのＴＶ映像の視聴等が行われる。図示しないが、表示部筐体２を横長に回転させた横長状態では、ＴＶ映像を大きくして視聴可能となっている。
【００３４】
図３及び図４にマグネシウムフレーム２０に基板３０を固定する基板固定構造５０を示す。基板固定構造５０は、基板３０と、マグネシウムフレーム２０と、表示ディスプレイ７とを備えている。なお、表示ディスプレイ７は、透明なカバー４０で覆われている。
【００３５】
図５に示すように、基板３０は、周縁に弾性変形可能な係止部材３１を４つ有すると共に、表面に複数の回路部品３２が取り付けられている。中央よりの部分には、基板３０と第２の筐体５側のメイン基板（図示せず）とを接続する信号線や、支持機構が通るための接続用開口３３が形成されている。なお、係止部材３１の個数は４つに限定されず、２つ以上あればよい。
【００３６】
図４に示すように、マグネシウムフレーム２０は、回路部品３２に対応する窓部２１を備えた底壁２２と、この底壁２２周縁から表面側へ立ち上がる周壁２４とを備えている。底壁２２周縁には、係止部材３１（図４では、基板３０の裏側に隠れている）に対応するように、この係止部材３１が係止される被係止部２３が形成されている。マグネシウムは、軽量でかつ剛性が高いので、薄くて軽いマグネシウムフレーム２０が得られる。底壁２２の厚さｔは、１ｍｍ以下となっている（ｔ≦１ｍｍ）。基板３０の回路部品３２の高さは、マグネシウムフレーム２０の肉厚よりも薄いものが使用されいる。
【００３７】
図５乃至図７に示すように、係止部材３１は、例えば、基板３０の周縁の４カ所に半田付けされ、斜面部３１ａと鉤部３１ｂとを備えている。係止部材３１は、りん青銅又はステンレス等の金属製板バネで構成されている。このように、係止部材３１を金属製の板バネで構成することで、薄くて軽量で適度に弾性変形可能で耐久性の高いものが得られる。また、係止部材３１を基板３０に半田付けすることにより、係止部材３１を基板３０に固定するためのビスが不要となる。
【００３８】
一方、図７に示すように、被係止部２３は、上記底壁２２と周壁２４との隅角部に設けた係止部材挿通用貫通孔２３ａと、周壁２４に連続して形成され、底壁２２表面よりも低い表面を有する係止部材引掛部２３ｂとよりなる。そして、係止部材３１が被係止部２３に係合されたとき、底壁２２の厚さｔよりも係止部材３１の高さｈが低くなるように構成されている（ｈ＜ｔ）。
【００３９】
このように、本実施形態の基板固定構造５０では、係止部材３１を変形させながら被係止部２３に嵌め込むことにより、基板３０がマグネシウムフレーム２０の裏面側に固定されると共に、マグネシウムフレーム２０の表面側に、表示ディスプレイ７が取り付けられている。
【００４０】
また、表示ディスプレイ７をマグネシウムフレーム２０に嵌め込んだ状態で、マグネシウムフレーム２０周壁２４の上端と該表示ディスプレイ７の表面とがほぼ同じ高さとなっている。
【００４１】
−基板固定構造の組立手順−
次に、本実施形態にかかる基板固定構造の組立手順について説明する。
【００４２】
まず、図４に示すように、マグネシウムフレーム２０の裏面側から基板３０を嵌め込む。基板３０をマグネシウムフレーム２０の底壁２２裏面に矢印の方向へ押し付ける。このとき、回路部品３２は、窓部２１に収まる。また、矢印の部分を押し付けることで、基板３０に設けた係止部材３１をマグネシウムフレーム２０の裏面側から係止部材挿通用貫通孔２３ａに通し、斜面部３１ａを係止部材引掛部２３ｂに当接させ変形させて通過した後に、もとの形に戻ることで、鉤部３１ｂが係止部材引掛部２３ｂに引っ掛かる。
【００４３】
このことで、係止部材３１の弾性を利用して基板３０がマグネシウムフレーム２０に確実に固定される。このように、斜面部３１ａは基板３０の取付作業がスムーズに行われるのを助け、鉤部３１ｂで基板３０の固定を確実にしている。
【００４４】
次いで、底壁２２の表面側に表示ディスプレイ７を嵌め込む。係止部材３１が係止部材引掛部２３ｂに係止されたときに、係止部材３１や回路部品３２が底壁２２表面よりも飛び出さないので、表示ディスプレイ７を底壁２２に直接置いても浮きは生じない。また、１ｍｍ以下の薄い底壁２２の厚さ内に基板３０の回路部品３２も収まり、全体の厚さが極めて薄くなる。
【００４５】
次いで、表示ディスプレイ７の表面側をカバー４０で覆う。
【００４６】
最後に基板３０の回路部品３２の背面側を表示部筐体２のキャビネットでカバーする。このとき、ビスがキャビネット側に飛び出ていないため、少なくともビスの頭分だけ表示部筐体２を薄くすることができる。
【００４７】
このように、基板３０に設けた係止部材３１をマグネシウムフレーム２０の底壁２２周縁に設けた被係止部２３に係止させることにより、ビスを用いることなく、基板３０がマグネシウムフレーム２０の裏面側に固定されると共に、ビスが底壁２２から飛び出さないので、マグネシウムフレーム２０の表面側に表示ディスプレイ７が配置可能となり、また、表示部筐体２の厚さが薄くなる。
【００４８】
さらに、マグネシウムフレーム２０周壁２４の上端と該表示ディスプレイ７の表面とがほぼ同じ高さとなるので、表示ディスプレイ７がマグネシウムフレーム２０から外れにくくなると共に、見映えがよくなる。
【００４９】
−実施形態の効果−
したがって、本実施形態にかかる基板固定構造５０によると、ビスを用いることなく、基板３０に設けた係止部材３１を変形させながらマグネシウムフレーム２０の被係止部２３に嵌め込んで基板３０をマグネシウムフレーム２０の裏面側に固定すると共に、マグネシウムフレーム２０の表面側に表示ディスプレイ７を嵌め込むようにしたことにより、基板固定構造５０における基板３０の回路部品３２側及びその背面側の厚さを薄くすることができるので、この基板固定構造５０を備えた携帯電話機１の厚さを極めて薄くし、その商品性を格段に向上させることができる。
【００５０】
（その他の実施形態）
本発明は、上記実施形態について、以下のような構成としてもよい。
【００５１】
すなわち、上記実施形態では、携帯端末は、折畳み式携帯電話機としたが、スライド式携帯電話機や、表示部及び操作部が一体型の携帯電話機でもよく、また、ＰＨＳ、ＰＤＡ、ＰＣ、モバイルツール、電子辞書、電卓、複写機等であってもよい。
【００５２】
なお、以上の実施形態は、本質的に好ましい例示であって、本発明、その適用物や用途の範囲を制限することを意図するものではない。
【図面の簡単な説明】
【００５３】
【図１】本実施形態にかかる携帯電話機を開いたときの斜視図である。
【図２】本実施形態にかかる携帯電話機を閉じたときの斜視図である。
【図３】基板固定構造を基板側から見た斜視図である。
【図４】基板固定構造の分解斜視図である。
【図５】基板を表面側から見た斜視図である。
【図６】係止部材の拡大斜視図である。
【図７】図３のVII−VII線拡大断面図である。
【符号の説明】
【００５４】
１      携帯電話機（携帯端末）
２      表示部筐体
７      表示ディスプレイ
２０      マグネシウムフレーム（フレーム）
２１      窓部
２２      底壁
２３      被係止部
２３ａ    係止部材挿通用貫通孔
２３ｂ    係止部材引掛部
２４      周壁
３０      基板
３１      係止部材
３１ａ    斜面部
３１ｂ    鉤部
３２      回路部品
５０      基板固定構造
【図１】
2009105310.tif 000003
【図２】
2009105310.tif 000004
【図３】
2009105310.tif 000005
【図４】
2009105310.tif 000006
【図５】
2009105310.tif 000007
【図６】
2009105310.tif 000008
【図７】
2009105310.tif 000009